(57)【要約】【課題】基板カバーの取付作業を容易に行うことができる照明装置を提供する。【解決手段】冷陰極管１８と、冷陰極管１８が収容されたシャーシ１４と、シャーシ１４の底板１４ａに取り付けられたコントロール基板２３と、底板１４ａに取り付けられ、コントロール基板２３を覆う形で配された基板カバー２４と、コントロール基板２３上に配され、基板カバー２４を支持する支持ピン２５と、を備えている。支持ピン２５は、導電性材料により形成されている。【選択図】図５
2012064511.tif 000002
【特許請求の範囲】
【請求項１】
光源と、
前記光源が収容されたシャーシと、
前記シャーシの底板に取り付けられた回路基板と、
前記底板に取り付けられ、前記回路基板を覆う形で配された基板カバーと、
前記回路基板上に配され、前記基板カバーを支持する支持部と、を備え、
前記支持部は、導電性材料により形成されていることを特徴とする照明装置。
【請求項２】
前記支持部が複数配されていることを特徴とする請求項１に記載の照明装置。
【請求項３】
前記支持部は、前記基板カバー側に突出して設けられていることを特徴とする請求項１又は請求項２に記載の照明装置。
【請求項４】
前記基板カバーは、前記支持部の先端側が嵌合可能な嵌合部を有することを特徴とする請求項３に記載の照明装置。
【請求項５】
前記支持部は、その先端側にスリワリを有することを特徴とする請求項４に記載の照明装置。
【請求項６】
前記支持部が円柱状を成すことを特徴とする請求項３から請求項５のいずれか１項に記載の照明装置。
【請求項７】
前記支持部は、前記基板カバーの端縁部を挿入可能な形状を成し、該端縁部が挿入された状態で前記基板カバーをその厚み方向において挟持することで前記基板カバーを支持することを特徴とする請求項１又は請求項２に記載の照明装置。
【請求項８】
前記支持部の表面に前記回路基板と電気的に接続された電極が配されていることを特徴とする請求項７に記載の照明装置。
【請求項９】
前記支持部は、その開口からその内部に亘って幅が狭まるような傾斜状とされていることを特徴とする請求項７又は請求項８に記載の照明装置。
【請求項１０】
前記支持部は、前記基板カバーの前記端縁部を貫通させることが可能な貫通孔であることを特徴とする請求項８又は請求項９に記載の照明装置。
【請求項１１】
前記支持部は、前記基板カバーの前記端縁部を挿入させることが可能な凹状を成していることを特徴とする請求項８又は請求項９に記載の照明装置。
【請求項１２】
前記支持部及び前記基板カバーの前記端縁部の少なくとも一方に、前記支持部と該支持部内に挿入された前記基板カバーの前記端縁部とを係止する係止手段が設けられていることを特徴とする請求項７から請求項１１のいずれか１項に記載の照明装置。
【請求項１３】
前記支持部は、前記回路基板の板面に沿って延びるように設けられていることを特徴とする請求項７から請求項１２のいずれか１項に記載の照明装置。
【請求項１４】
前記支持部は、前記基板カバー側に立ち上がる板ばねにより構成され、
該板ばねは、前記回路基板の外側に突出するばね側凸部を有し、
前記基板カバーは、前記ばね側凸部と対応する位置に該ばね側凸部が嵌合する大きさのカバー側凹部を有することを特徴とする請求項１又は請求項２に記載の照明装置。
【請求項１５】
前記支持部は、前記基板カバー側に立ち上がる板ばねにより構成され、
前記基板カバーは、その端縁部において該基板カバーの内側に突出するカバー側凸部を有し、
前記板ばねは、前記カバー側凸部と対応する位置に該カバー側凸部が嵌合する大きさのばね側凹部を有することを特徴とする請求項１又は請求項２に記載の照明装置。
【請求項１６】
前記支持部は、前記回路基板に取り付けられる底板と、該底板の端縁から前記基板カバー側に立ち上がる側板と、を有し、
前記基板カバーの端縁部の板面が前記支持部の前記側板に取り付けられることを特徴とする請求項１又は請求項２に記載の照明装置。
【請求項１７】
前記支持部は、前記回路基板の端縁部に配され、
該端縁部に沿って電極が配され、
前記基板カバーは、前記端縁部電極と対応する位置に該端縁部電極が嵌合する大きさの嵌合凹部を有することを特徴とする請求項１又は請求項２に記載の照明装置。
【請求項１８】
請求項１から請求項１７のいずれか１項に記載の照明装置からの光を利用して表示を行う表示パネルを備えることを特徴とする表示装置。
【請求項１９】
前記表示パネルが液晶を用いた液晶パネルであることを特徴とする請求項１８に記載の表示装置。
【請求項２０】
請求項１８又は請求項１９に記載の表示装置を備えることを特徴とするテレビ受信装置。
【発明の詳細な説明】
【技術分野】
【０００１】
本発明は、照明装置、表示装置及びテレビ受信装置に関する。
【背景技術】
【０００２】
従来、液晶テレビなどの液晶表示装置に用いる液晶パネルは、自発光しないため、別途に照明装置としてバックライト装置を備えている。このバックライト装置は、液晶パネルの裏側（表示面とは反対側）に設置されるものが周知であり、液晶パネル側に開口された形状をなすシャーシと、シャーシにおける底板の内面側に設置される複数の光源（例えば冷陰極管やＬＥＤなど）と、シャーシの開口部を覆う形で配され、光源が発する光を効率的に液晶パネル側へ出射させるための光学部材（拡散板等）と、シャーシ内に敷設され、光源からの光を光学部材並びに液晶パネル側に反射させる光反射シートなど備えている。
【０００３】
また、シャーシには、液晶表示装置の駆動に係る回路基板が取り付けられており、この回路基板を覆う形で基板カバーが取り付けられているものが知られている。このような基板カバー及び回路基板は、例えば、ビスなどの取付手段によってシャーシに取り付けられる。このような、ビスで回路基板を固定する構成の液晶表示装置の一例として下記特許文献１に記載されたものが知られている。
【先行技術文献】
【特許文献】
【０００４】
【特許文献１】特開２００７−１８０７５１号公報
【発明の概要】
【発明が解決しようとする課題】
【０００５】
ところで、シャーシに基板カバーを取り付ける作業は、シャーシを立てた状態、つまり、シャーシにおける基板カバーの取付面が鉛直方向に沿った状態で行われることがある。このため、作業者が基板カバーを取り付ける際には、基板カバーが落下しないように手などで保持しておく必要があり、作業性において改善の余地があった。また、基板カバーを作業者が手で保持する場合は、取付作業中に基板カバーが落下し、回路基板に接触して、回路基板を傷付ける事態も懸念される。
【０００６】
本発明は上記のような事情に基づいて完成されたものであって、基板カバーの取付作業を容易に行うことができると共に、回路基板からの電磁ノイズを防止ないし抑制することができる照明装置を提供することができる。照明装置を提供することを目的とする。また、このような照明装置を備えた表示装置、及びテレビ受信装置を提供することを目的とする。
【課題を解決するための手段】
【０００７】
本明細書で開示される技術は、光源と、前記光源が収容されたシャーシと、前記シャーシの底板に取り付けられた回路基板と、前記底板に取り付けられ、前記回路基板を覆う形で配された基板カバーと、前記回路基板上に配され、前記基板カバーを支持する支持部と、を備え、前記支持部は、導電性材料により形成されている照明装置に関する。
【０００８】
上記の照明装置によると、回路基板が取り付けられたシャーシに対して、回路基板を覆う形となるように基板カバーが取り付けられる。基板カバーの取り付けに際しては、回路基板上に配された支持部によって基板カバーが支持されるため、回路基板に対して基板カバーを容易に取り付けることができる。さらに、導電性材料で形成された支持部を介して基板カバーと回路基板とが電気的に接続されるため、回路基板が基板カバーで覆われることで回路基板からの電磁ノイズを基板カバーによって防止ないし抑制することができる。
【０００９】
前記支持部が複数配されていてもよい。
この構成によると、複数の支持部によって基板カバーを効果的に支持することができる。このため、回路基板からの電磁ノイズを基板カバーによって効果的に防止ないし抑制することができる。
【００１０】
前記支持部は、前記基板カバー側に突出して設けられていてもよい。
この構成によると、支持部を突出させることで、基板カバーを支持部に対して取り付け易くすることができる。
【００１１】
前記基板カバーは、前記支持部の先端側が嵌合可能な嵌合部を有してもよい。
この構成によると、支持部の先端側を嵌合部に嵌合させることで基板カバーを支持部に取り付けることができる。このため、ビス等を用いることなく回路基板に対して基板カバーを固定することができる。
【００１２】
前記支持部は、その先端側にスリワリを有してもよい。
この構成によると、支持部の先端側をスリワリとすることにより支持部の先端側を嵌合部に嵌合させ易くすることができる。
【００１３】
前記支持部が円柱状を成してもよい。
この構成によると、支持部を回路基板上に効果的に配することができる。
【００１４】
前記支持部は、前記基板カバーの端縁部を挿入可能な形状を成し、該端縁部が挿入された状態で前記基板カバーをその厚み方向において挟持することで前記基板カバーを支持してもよい。
この構成によると、基板カバーの端縁部を支持部に挿入することで、基板カバーを支持部によって容易に支持することができる。
【００１５】
前記支持部の表面に前記回路基板と電気的に接続された電極が配されていてもよい。
この構成によると、基板カバーの端縁部が挿入部に挿入されることにより基板カバーが電極を介して回路基板と電気的に接続されることとなるため、回路基板からの電磁ノイズを基板カバーによって効果的に防止ないし抑制することができる。
【００１６】
前記支持部は、その開口からその内部に亘って幅が狭まるような傾斜状とされていてもよい。
この構成によると、基板カバーの端縁部を支持部の開口から支持部内に挿入し易くすることができる。
【００１７】
前記支持部は、前記基板カバーの前記端縁部を貫通させることが可能な貫通孔であってもよい。
この構成によると、基板カバーの端縁部を貫通孔に貫通させることで、支持部に挿入された基板カバーの端縁部を支持部から抜け難いものとすることができる。このため、基板カバーを支持部によって効果的に支持することができる。
【００１８】
前記支持部は、前記基板カバーの前記端縁部を挿入させることが可能な凹状を成していてもよい。
この構成によると、基板カバーの端縁部が凹状の支持部に挿入されてその底面と当接することで、基板カバーの端縁部をその挿入方向において係止させることができ、回路基板と基板カバーとの間で所定のクリアランスを維持することができる。
【００１９】
前記支持部及び前記基板カバーの前記端縁部の少なくとも一方に、前記支持部と該支持部内に挿入された前記基板カバーの前記端縁部とを係止する係止手段が設けられていてもよい。
この構成によると、係止手段によって回路基板と基板カバーとを固定することができ、回路基板と基板カバーとの間で所定のクリアランスを維持することができる。また、ビス等を用いなくとも基板カバーを固定することができる。
【００２０】
前記支持部は、前記回路基板の板面に沿って延びるように設けられていてもよい。
この構成によると、基板カバーを支持部によって効果的に支持することができる。
【００２１】
前記支持部は、前記基板カバー側に立ち上がる板ばねにより構成され、該板ばねは、前記回路基板の外側に突出するばね側凸部を有し、前記基板カバーは、前記ばね側凸部と対応する位置に該ばね側凸部が嵌合する大きさのカバー側凹部を有してもよい。
この構成によると、支持部を板ばねとすることで、基板カバーを支持部によって弾性的に支持することができる。このため、基板カバーが支持されることによって支持部に生じる応力を緩和することができる。
【００２２】
前記支持部は、前記基板カバー側に立ち上がる板ばねにより構成され、前記基板カバーは、その端縁部において該基板カバーの内側に突出するカバー側凸部を有し、前記板ばねは、前記カバー側凸部と対応する位置に該カバー側凸部が嵌合する大きさのばね側凹部を有してもよい。
この構成によると、支持部を板ばねとすることで、基板カバーを支持部によって弾性的に支持することができる。このため、基板カバーが支持されることによって支持部に生じる応力を緩和することができる。
【００２３】
前記支持部は、前記回路基板に取り付けられる底板と、該底板の端縁から前記基板カバー側に立ち上がる側板と、を有し、前記基板カバーの端縁部の板面が前記支持部の前記側板に取り付けられてもよい。
この構成によると、支持部を介して回路基板と基板カバーとを強固に固定することができる。
【００２４】
前記支持部は、前記回路基板の端縁部に配され、該端縁部に沿って電極が配され、前記基板カバーは、前記電極と対応する位置に該電極が嵌合する大きさの嵌合凹部を有してもよい。
この構成によると、基板カバーが支持部に支持された状態で基板カバーが回路基板の端縁部の電極と接続されることとなるため、回路基板からの電磁ノイズを基板カバーによって効果的に防止ないし抑制することができる。
【００２５】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。上記の表示装置およびテレビによると、表示領域の大面積化を実現することが可能となる。
【発明の効果】
【００２６】
本明細書で開示される技術によれば、基板カバーの取付作業を容易に行うことができると共に、回路基板からの電磁ノイズを防止ないし抑制することができる照明装置を提供することができる。
【図面の簡単な説明】
【００２７】
【図１】実施形態１に係るテレビ受信装置ＴＶの分解斜視図を示す。
【図２】液晶表示装置１０の分解斜視図を示す。
【図３】液晶表示装置１０の断面図を示す。
【図４】液晶表示装置１０の背面図を示す。
【図５】コントロール基板２３の近傍を拡大した断面図を示す。
【図６】基板カバー２４が取り付けられる前のコントロール基板２３の近傍を拡大した断面図を示す。
【図７】実施形態２に係るコントロール基板７３の近傍を拡大した断面図を示す。
【図８】挿入部７５と基板カバー７３の端縁部を拡大した断面図を示す。
【図９】コントロール基板７３の平面図を示す。
【図１０】基板カバー７４が取り付けられる前のコントロール基板７３の近傍を拡大した断面図を示す。
【図１１】実施形態３に係る挿入部１２５と基板カバー１２３の端縁部を拡大した断面図を示す。
【図１２】実施形態４に係るコントロール基板１７３の近傍を拡大した断面図を示す。
【図１３】挿入部１７５と基板カバー１７４の端縁部を拡大した断面図を示す。
【図１４】コントロール基板１７３の平面図を示す。
【図１５】基板カバー１７４が取り付けられる前のコントロール基板１７３の近傍を拡大した断面図を示す。
【図１６】実施形態５に係るコントロール基板２２３の平面図を示す。
【図１７】実施形態６に係るコントロール基板２７３の近傍を拡大した断面図を示す。
【図１８】基板カバー２７４が取り付けられる前のコントロール基板２７３の近傍を拡大した断面図を示す。
【図１９】実施形態７に係るコントロール基板３２３の近傍を拡大した断面図を示す。
【図２０】基板カバー３２４が取り付けられる前のコントロール基板３２３の近傍を拡大した断面図を示す。
【図２１】実施形態８に係るコントロール基板３７３の近傍を拡大した断面図を示す。
【図２２】基板カバー３７４が取り付けられる前のコントロール基板３７３の近傍を拡大した断面図を示す。
【図２３】実施形態９に係るコントロール基板４２３の近傍を拡大した断面図を示す。
【図２４】基板カバー４２４が取り付けられる前のコントロール基板４２３の近傍を拡大した断面図を示す。
【発明を実施するための形態】
【００２８】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。
【００２９】
図１は、実施形態１に係るテレビ受信装置ＴＶの分解斜視図を示している。図１に示すように、テレビ受信装置ＴＶは、液晶表示装置１０と、当該液晶表示装置１０を挟むようにして収容する表裏両キャビネットＣａ、Ｃｂと、電源Ｐと、チューナーＴと、スタンドＳと、を備えている。液晶表示装置１０は、全体として横長の方形を成し、縦置き状態で収容されている。なお、このテレビ受信装置ＴＶは、後述するスタンド２６によって液晶表示装置１０の表示面を鉛直方向（Ｙ軸方向）に沿わせた状態で支持されている。
【００３０】
図２は、液晶表示装置１０の分解斜視図を示している。ここで、図２に示す上側を表側とし、同図下側を裏側とする。図２に示すように、液晶表示装置１０は、表示パネルである液晶パネル１１と、外部光源であるバックライト装置１２とを備え、これらが枠状をなすベゼル１３等により一体的に保持されるようになっている。
【００３１】
続いて、液晶パネル１１について説明する。液晶パネル１１は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００３２】
このうち、一方のガラス基板における短辺方向（Ｙ軸方向）の一端部、より具体的には鉛直方向の下側端部には、ソース配線及びゲート配線から引き回された端子部が形成されており、この端子部に対してフレキシブル基板ＦＢ（図２参照）の一端側が接続されている。フレキシブル基板ＦＢは、可撓性を有する薄膜状のフィルム上に導電路がプリントされると共にＬＳＩチップ等のドライバが搭載された構成とされる。フレキシブル基板ＦＢの他端側には、液晶パネル１１の駆動を制御するための駆動制御基板ＤＢ（図２参照）が接続されている。なお、フレキシブル基板ＦＢは、一方のガラス基板や駆動制御基板ＤＢに対して異方性導電性接着剤を介して圧着接続されている。駆動制御基板ＤＢは、後述するコントロール基板２３に接続されており、そこから供給される画像信号等を、フレキシブル基板ＦＢを介して液晶パネル１１のソース配線及びゲート配線に供給できるものとされる。
【００３３】
続いて、バックライト装置１２について説明する。図３は、液晶表示装置１０を水平方向（Ｘ軸方向）に切断した断面の断面構成を示している。液晶表示装置１０の背面図を示している。バックライト装置１２は、図２及び図３に示すように、シャーシ１４と、レンズシート１９と、光学部材１６と、フレーム１４とを備えている。シャーシ１４は、表側（光出射側、液晶パネル１１側）に開口した略箱型をなしている。レンズシート１９は、賦形拡散板２０の表側に配されている。光学部材１６は、レンズシート１９の表側に配されている。フレーム１４は、液晶パネル１１や光学部材１６の長辺側の外縁に沿って延在する形成とされており、シャーシ１４の長辺側の両折り返し外端部１４ｃ上に一対配されている。フレーム１７は、折り返し外縁部１４ｃとの間で光学部材１６の長辺側の外縁を挟持可能とされていると共に、ベゼル１３との間で液晶パネル１１の長辺側の外縁を挟持可能とされている。
【００３４】
シャーシ１４内には、反射シート１５と、複数本の冷陰極管１８と、ランプクリップ１９と、コネクタ２２と、ランプホルダ２０とが収容されている。反射シート１５は、シャーシ１４の内面に沿って敷設されている。複数本の冷陰極管１８は、シャーシ１４内において、水平方向（Ｘ軸方向）に沿って配され、鉛直方向（Ｙ軸方向）に並列した状態で収容されている。ランプクリップ１９は、冷陰極管１８の中央側部分を保持している。コネクタ２２は、冷陰極管１８の端部を保持すると共に冷陰極管１８をインバータ基板２１に電気的に中継接続している。ランプホルダ２０は、冷陰極管１８の各端部を遮光すると共に自身が光反射性を備えている。なお、バックライト装置１２は、光学部材１６側が光出射側となっており、液晶パネル１１に対してその裏側から光学部材１６等を介して直接光が供給される直下型のバックライト装置である。
【００３５】
続いてシャーシ１４の背面側（裏側）の構成について説明する。図４は、シャーシ１４の背面図を示している。シャーシ１４の背面側には、図４に示すように、インバータ基板２１と、コントロール基板２３と、基板カバー２４と、スタンド２６が設けられている。インバータ基板２１は、コネクタ２２を介して冷陰極管１８に駆動電力を供給する。コントロール基板２３は、既述した駆動制御基板ＤＢ及びフレキシブル基板ＦＢを介して液晶パネル１１に液晶駆動用の信号を供給する。基板カバー２４は、コントロール基板２３を覆っており、コントロール基板２３を外部から保護している。
【００３６】
シャーシ１４は、例えばアルミ系材料等の金属製とされ、底板１４ａと、折返し外縁部１４ｃとから構成され、全体としては表側に向けて開口した浅い略箱型（略浅皿状）を成している。底板１４ａは、その板面が液晶表示装置１０の表示面と平行するものとされ、液晶パネル１１と同様に横長の方形を成しており、冷陰極管１８の裏側（冷陰極管１８の光出射側とは反対側）に配されている。底板１４ａには、コネクタ２２を取り付けるための取付孔１４ｄが対応する位置に複数開口して形成されている。また、底板１４ａの裏面には、インバータ基板２１及びコントロール基板２３を取り付けるための複数の取付台座部１４ｅが裏側に突出する形成で設けられている。取付台座部１４ｅは、底板１４ａに、例えば絞り加工を施すことで底板１４ａを部分的に裏側に向けて膨出させることで形成されている。折返し外縁部１４ｃは、底板１４ａの長辺側の両外縁及び短辺側の両外端からそれぞれ一対ずつ立ち上がると共に略Ｕ字状に折り返された形状を成している。
【００３７】
反射シート１５は、熱可塑性を有する合成樹脂材料により形成され、その表面が光の反射性に優れた白色を呈するものとされている。反射シート１５は、シャーシ１４の底板１４ａの表側に敷設され、該底板１４ａをほぼ全域に亘って覆うことが可能な大きさを有している。そして、反射シート１５は、冷陰極管１８からの光を光学部材１６側（光出射側）へ反射させる機能を有している。
【００３８】
光学部材１６は、シャーシ１４の底板１４ａや液晶パネル１１と同様に平面視矩形状を成し、遮光性を有する合成樹脂製とされると共に、裏側の冷陰極管１８と表側の液晶パネル１１との間に介在する。光学部材１６は、裏側から順に、例えば拡散板、拡散シート、レンズシート、及び輝度上昇シートにより構成されており、線状光源である冷陰極管１８から出射される光を均一な面状の光に変換する等の機能を有する。
【００３９】
冷陰極管１８は、線状光源の一種であり、図２及び図３に示すように、その軸線方向をシャーシ１４の長辺方向（Ｘ軸方向）と一致させた姿勢でシャーシ１４内に収容されている。そして、複数本の冷陰極管１８は互いの軸線方向が略平行とされており、互いの間に所定の間隔を空けた状態でシャーシ１４の短辺後方（Ｙ軸方向）に沿って並列して配されている。隣り合う冷陰極管１８の間隔は、ほぼ等しいものとされている。冷陰極管１８は、シャーシ１４の底板１４ａと光学部材１６との間に挟まれた態様とされており、底板１４ａからわずかに浮いた状態でその各端部がコネクタ２２に嵌め込まれ、これらのコネクタ２２を被覆するようにランプホルダ２０が取り付けられている。
【００４０】
ランプクリップ１９は、光の反射性に優れた白色を呈する合成樹脂製とされ、図２に示すように、シャーシ１４の底板１４ａにおける内面に対して所定の分布をもって分散配置されている。ランプクリップ１９は、シャーシ１４の底板１４ａに固着されると共に、各冷陰極管１８の両端部を除いた中央側部分を保持可能となっている。これにより、冷陰極管１８とシャーシ１４の底板１４ａとの間の間隔を一定に維持することができる。なお、図３では、ランプクリップの図示を省略している。
【００４１】
ランプホルダ２０は、光の反射性に優れた白色を呈する合成樹脂製とされ、図２に示すように、シャーシ１４の短辺方向に沿って延びると共に、裏側の面が開口した略箱型を成している。ランプホルダ２０は、シャーシ１４における短辺側の両端部に一対取り付けられることで、同位置に並列配置された各冷陰極管１８の端部及び後述する各コネクタ２２を一括して覆うことができるものとされる。このランプホルダ２０における表側の面には、図３に示すように、二段階の段部が形成されており、その低位側の段部が光学部材１６を受ける光学部材受け部とされるのに対し、高位側の段部が液晶パネル１１を受ける液晶パネル受け部とされる。また、ランプホルダ２０は、光学部材受け部からシャーシ１４の底板１４ａに向けた傾斜する傾斜部を有している。
【００４２】
インバータ基板２１は、電源Ｐから入力される入力電圧を昇圧して入力電圧よりも高い出力電圧を冷陰極管１８へ出力するインバータ回路を有しており、それにより冷陰極管１８の点灯・消灯を制御する機能を備えている。このインバータ基板２１は、シャーシ１４の裏側、つまり冷陰極管１８とは反対側に配されている。インバータ基板２１は、シャーシ１４の底板１４ａにおける長辺方向の両端位置付近に一対配され、縦長の方形を成しており、その長辺方向がＹ軸方向と一致しており、その短辺方向がＸ軸方向と一致している。またインバータ基板２１における短部には、後述するコネクタ２２に対して個別に嵌合接続されるコネクタ接続部が形成されている。
【００４３】
コネクタ２２は、シャーシ１４に対して冷陰極管１８の両端部に対応した位置、即ち底板１４ａにおける長辺方向の両端位置に一対一組で配され、底板１４ａの短辺方向に沿って複数づつ並んで配されている。各コネクタ２２の配列ピッチは、各冷陰極管１８の配列ピッチとほぼ等しくなっている。各コネクタにおけるＹ軸方向についての設置位置は、各冷陰極管１８とほぼ同じに揃えられている。各コネクタ２２は、シャーシ１４の底板１４ａに形成された取付孔１４ｄにそれぞれ貫通した状態で組み付けられている。各コネクタ２２のうちシャーシ１４内に突出する部分は、冷陰極管１８の端部を受け入れると共に外部接続部（図示せず）に対して電気的に接続されている。一方、各コネクタ２２のうちシャーシ１４外に突出する部分は、インバータ基板２１のコネクタ接続部に対して電気的に接続されている。
【００４４】
続いてコントロール基板２３及び基板カバー２４の構成について説明する。図５は、コントロール基板２３の近傍を拡大した断面図を示している。コントロール基板２３は、合成樹脂製で板状を成す基板上に所定の回路パターン（図示せず）が形成されたものである。このコントロール基板２３は、図示しない可撓性を有するＦＰＣ基板を介してシャーシ１４の表側に配された駆動制御基板ＤＢ（図２参照）に接続されており、液晶駆動用の信号を液晶パネルへと供給することができる。コントロール基板２３は、シャーシ１４の裏側に配されている。具体的には、シャーシ１４の底板１４ａにおける長辺方向の略中央位置（一対のインバータ基板２１に挟まれた位置）であって短辺方向の一端側（鉛直方向の下側に偏った位置）に配されている。コントロール基板２３は、底板１４ａのうち長辺方向の中央側に設けられた取付台座部１４ｅに載せられた状態でビスＢによって固定されている。
【００４５】
コントロール基板２３の裏面には、図５に示すように、基板カバー２４側に略円柱状に突出する２本の支持ピン２５が設けられている。支持ピン２５は、コントロール基板２３を固定するビスＢより内側に設けられ、金属等の導電性材料で形成されており、コントロール基板２３上に形成された接地パターンと電気的に接続されている。支持ピン２５は、コントロール基板２３上から延びる軸状を成す軸状部２５ｃと、支持ピン２５の先端側に形成された円錐台状を成すテーパ部２５ｂとから構成され、その長さが、コントロール基板２３と後述する基板カバー２４の基部２４ａとの間の間隔よりやや長いものとされている。軸状部２５ｃは、コントロール基板２３に基板カバー２４が取り付けられた状態（図５の状態）においてコントロール基板２３と基板カバー２４との間に位置する。一方、テーパ部２５ｂは、コントロール基板２３に基板カバー２４が取り付けられた状態（図５の状態）において基板カバー２４の裏側に露出する。テーパ部２５ｂは、円錐台状、即ち、テーパ部２５ｂの先端から軸状部２５ａ側に向かってその外径が大きくなるように傾斜する形状を成し、テーパ部２５ｂの底面が基板カバー２４の裏面と当接している。そして、テーパ部２５ｂの底面の外径は軸状部２５ｃの外径よりも大きいものとされている。なお、支持ピン２５には、テーパ部２５ｂの先端から軸状部２５ｃの先端側に亘って切り込みが形成されたスリワリ２５ａが設けられている。
【００４６】
基板カバー２４は、シャーシ１４と同じく金属製とされており、図２乃至図５に示すように、シャーシ１４の裏側に配されると共にコントロール基板２３を裏側から覆うことが可能とされている。具体的には、基板カバー２４は、基部２４ａと、片部２４ｂと、当接部２４ｃとから構成されている。基部２４ａは、コントロール基板２３に対して所定の間隔を空けつつ対向状を成すと共に、コントロール基板２３と同じく平面視において横長の方形状を成している。また、基部２４ａは、その板面がコントロール基板２３及びシャーシ１４の底板１４ａの板面に並行するものとされており、その外形（長辺寸法及び短辺寸法）が底板１４ａより小さく、コントロール基板２３より大きいものとされている。片部２４ｂは、基部２４ａにおける短辺側の両外縁から表側に向けて突出している。一対の片部２４ｂは、その板面がＹ軸方向及びＺ軸方向に並行していて基部２４ａの板面に対して直交するものとされている。片部２４ｂは、基部２４ａにおける短辺側の外端のほぼ全長に亘る長さ寸法を有している。当接部２４ｃは、片部２４ｂの表側端縁からシャーシ１４の底板１４ａの裏面と平行となるように外側へ折り返されて成り、シャーシ１４の底板１４ａの裏面と当接している。なお、基板カバー２３において短辺方向（Ｙ軸方向、図５では図の手前側及び奥側方向）に沿った両外端はそれぞれ開口しており、その開口を通してＦＰＣ基板等を外部へ引き出すことが可能とされている。
【００４７】
続いて基板カバー２４をコントロール基板２３に対して取付可能とするための構成について説明する。図６は、基板カバー２４が取り付けられる前のコントロール基板２３の近傍を拡大した断面図を示している。図６に示すように、基板カバー２３には、コントロール基板２３に取り付けられる際に２本の支持ピン２５と対応する位置に、該支持ピン２５の先端側と嵌合可能な円形状の２つの嵌合開口２４ｄが設けられている。嵌合開口２４ｄの開口径は、テーパ部２５ｂの頂面の外径よりも大きく、テーパ部２５ｂの底面の外径よりも小さく、軸状部２５ｃの外径よりもやや小さいものとされている。
【００４８】
基板カバー２４をコントロール基板２３に取り付ける場合、基板カバー２４の裏側から支持ピン２５のテーパ部２５ｂを嵌合開口２４ｄに対して位置決めし、テーパ部２５ｂを該嵌合開口２４ｄに挿通させる。テーパ部はその底面側に向かうにつれてその外径が大きくなるため、テーパ部２５ｂを嵌合開口２４ｄに挿通させるにつれ、テーパ部２５ｂと嵌合開口２４ｄの間にテーパ部２５ｂを挿通させ難くする力が生じ、その力が増大していく。テーパ部２５ｂに対してはその径方向内側に力が生じるため、その力が増大することで、スリワリ２５ａによってテーパ部２５ｂがその径方向内側に撓み、テーパ部２５ｂの外径が嵌合開口２４ｄの開口径より小さくなる。これにより、テーパ部２５ｂの底面を嵌合開口２４ｄに挿通させることが可能となる。
【００４９】
テーパ部２５ｂの底面が嵌合開口２４ｄに挿通されて基板カバー２４の裏側に露出すると、テーパ部２５ｂに対してその径方向内側に生じていた力がなくなるため、テーパ部２５ｂの底面の外径は嵌合開口２４ｄの開口径より大きくなる。この状態では、テーパ部２５ｂの底面が基板カバー２４の裏面と当接し、軸状部２５ｃの先端側が嵌合開口２４ｄ内に位置している。そして、軸状部２５ｃの先端側はスリワリ２５ａによってその径方向内側にやや撓んで嵌合開口２４ｄと当接しており、スリワリ２５ａの復元力から嵌合開口２４ｄに対してその径方向外側に力を加えている。これにより、基板カバー２４がコントロール基板２３に取り付けられ、固定されている。また、テーパ部２５ｂの底面が基板カバー２４の裏面と当接していることで、コントロール基板２３と基板カバー２４との間に所定の間隔が維持されている。
【００５０】
このように本実施形態に係るバックライト装置１２では、コントロール基板２３の支持ピン２５と基板カバー２４の嵌合開口２４ｄが、コントロール基板２３に対して基板カバー２４を位置決めし、取り付ける機能を有している。さらに、導電性材料で形成された支持ピン２５が基板カバー２４の嵌合開口２４ｄに挿通されることで、基板カバー２４がコントロール基板２３の接地パターンと電気的に接続されるため、支持ピン２５は、コントロール基板２３からの電磁ノイズを防止する機能をも有している。
【００５１】
以上のように本実施形態に係るバックライト装置１２では、コントロール基板２３が取り付けられたシャーシ１４に対して、コントロール基板２３を覆う形となるように基板カバー２４が取り付けられる。基板カバー２４の取り付けに際しては、コントロール基板２３上に配された支持ピン２５によって基板カバー２４が支持されるため、コントロール基板２３に対して基板カバー２４を容易に取り付けることができる。さらに、金属材料で形成された支持ピン２５を介して基板カバー２４とコントロール基板２３とが電気的に接続されるため、コントロール基板２３が基板カバー２４で覆われることでコントロール基板２３からの電磁ノイズを基板カバー２４によって防止ないし抑制することができる。
【００５２】
また、本実施形態に係るバックライト装置１２では、支持ピン２５が複数配されている。このため、複数の支持ピン２５によって基板カバー２４を効果的に支持することができ、コントロール基板２３からの電磁ノイズを基板カバー２４によって効果的に防止ないし抑制することができる。
【００５３】
また、本実施形態に係るバックライト装置１２では、支持ピン２５が、基板カバー２４側に突出して設けられている。このため、基板カバー２４を支持ピン２５に対して取り付け易くすることができる。
【００５４】
また、本実施形態に係るバックライト装置１２では、基板カバー２４が、支持ピン２５の先端側が嵌合可能な嵌合部を有している。このため、支持ピン２５の先端側のテーパ部２５ｂを嵌合開口２４ｄに嵌合させることで基板カバー２５を支持ピン２５に取り付けることができ、基板カバー２４を支持ピン２５から外れ難くすることができる。
【００５５】
また、本実施形態に係るバックライト装置１２では、支持ピン２５は、その先端側にスリワリ２５ａを有している。このため、支持ピン２５の先端側を嵌合開口２４ｄに嵌合させ易くすることができる。
【００５６】
また、本実施形態に係るバックライト装置１２では、支持ピン２５が円柱状を成している。このため、支持ピン２５をコントロール基板２３上に効果的に配することができる。
【００５７】
＜実施形態２＞
図面を参照して実施形態２を説明する。図７は、実施形態２に係るコントロール基板７３の近傍を拡大した断面図を示している。図８は、挿入部７５と基板カバー７３の端縁部を拡大した断面図を示している。図９は、コントロール基板７３の平面図を示している。図９では、基板カバー７４が取り付けられる箇所を破線で示しており、コントロール基板７３上に形成された回路パターンについては図示を省略している。図１０は、基板カバー７４が取り付けられる前のコントロール基板７３の近傍を拡大した断面図を示している。実施形態２は、コントロール基板７３に対する基板カバー７４の取付構造及び基板カバー７４の形状が実施形態１のものと異なっている。その他の構成については実施形態１と同じであるため、構造、作用、および効果の説明は省略する。なお、図７、図１０において、図５、図６の参照符号に数字５０を加えた部位は、実施形態１で説明した部位と同一である。
【００５８】
実施形態２に係るバックライト装置では、基板カバー７４が実施形態１で述べた当接部２４ｃを有さず、片部７４ｂの先端部が基板カバー７４の端縁部とされている。このことは、後述する実施形態３乃至実施形態９における基板カバーも同様である。コントロール基板７３上には、基板カバー７４の端縁部を挿入可能な挿入部７５が設けられている。挿入部７５は、コントロール基板７３を貫通する貫通孔により構成され、その表面にはコントロール基板７３の接地パターンと電気的に接続されたスリット電極７７が設けられている。そして、基板カバー７４がコントロール基板７３に取り付けられた状態では、基板カバー７４の端縁部が、挿入部７５に挿入されてコントロール基板７３を貫通し、その先端がコントロール基板７３の表面よりもわずかに表側へ突出している。この状態において、基板カバー７４の端縁部は、挿入部７５（スリット電極７７）によってその厚み方向に挟持されることにより挿入部７５に支持されている。また、この状態では、基板カバー７４の端縁部とスリット電極７７とが当接しており、基板カバー７４とスリット電極７７との間で電気的接続が確保されている。
【００５９】
図８に示すように、基板カバー７４の端縁部には、外側に向かって凸状を成すカバー側係止部７４ａが設けられている。一方、基板カバー７４の端縁部が挿入部７５に挿入された状態においてカバー側係止部７４ａと対応するスリット電極７７の部位には、外側に向かって凹状を成す挿入部側係止部７７ａが設けられている。挿入部側係止部７７ａはカバー側係止部７４ａと嵌合可能な大きさで形成されており、カバー側係止部７４ａが挿入部側係止部７７ａと嵌合することにより、基板カバー７４がコントロール基板７３に対して支持され、固定される構成となっている。
【００６０】
また、スリット電極７７は、図９に示すように、コントロール基板７３の四隅近傍に４つ設けられている。そして、基板カバー７４の端縁部は、該端縁部のうち挿入部７５に挿入される部位がコントロール基板７３側に突出した構成となっている。
【００６１】
このように、実施形態２に係るバックライト装置では、挿入部７５が、基板カバー７４の端縁部を挿入可能な形状を成し、該端縁部が挿入された状態で基板カバー７４をその厚み方向において挟持することで基板カバー７４を支持する。このため、基板カバー７４の端縁部を挿入部７５に挿入することで、基板カバー７４を挿入部７５によって容易に支持することができる。
【００６２】
また、実施形態２に係るバックライト装置では、挿入部７５の表面にコントロール基板７３の接地パターンと電気的に接続されたスリット電極７７が配されている。このため、基板カバー７４の端縁部が挿入部７５に挿入されることにより基板カバー７４が電極を介してコントロール基板７３と電気的に接続されることとなり、コントロール基板７３からの電磁ノイズを基板カバー７４によって効果的に防止ないし抑制することができる。
【００６３】
また、実施形態２に係るバックライト装置では、挿入部７５が、基板カバー７４の端縁部を貫通させることが可能な貫通孔とされている。このため、基板カバー７４の端縁部を貫通孔に貫通させることで、挿入部７５に挿入された基板カバー７４の端縁部を挿入部７５から抜け難いものとすることができ、基板カバー７４を挿入部７５によって効果的に支持することができる。
【００６４】
＜実施形態３＞
図面を参照して実施形態３を説明する。図１１は、実施形態３に係る挿入部１２５と基板カバー１２３の端縁部を拡大した断面図を示している。実施形態３は、スリット電極１２７の開口近傍の形状が実施形態２のものと異なっている。その他の構成については実施形態２と同じであるため、構造、作用、および効果の説明は省略する。
【００６５】
実施形態３に係るバックライト装置では、スリット電極１２７の開口近傍に、開口から貫通孔に亘って幅が狭まるような傾斜面１２４ｂが設けられている。このため、基板カバー１２４の端縁部が挿入部１２５の貫通孔に対して正確に位置決めされない場合であっても、傾斜面１２４ｂと重畳する位置に位置決めされることで、基板カバー１２４の端縁部が傾斜面１２４ｂと当接した後、傾斜面１２４ｂに沿って挿入部１２５の貫通孔まで誘導される。これにより、基板カバー１２４の端縁部を挿入部１２５の開口から挿入部１２５内に挿入し易くすることができる。なお、このような傾斜面１２４ｂは、例えば、スリット電極１２７の開口近傍にテーパを形成して設けてもよいし、フィレットを形成して設けてもよい。
【００６６】
＜実施形態４＞
図面を参照して実施形態４を説明する。図１２は、実施形態４に係るコントロール基板１７３の近傍を拡大した断面図を示している。図１３は、挿入部１７５と基板カバー１７４の端縁部を拡大した断面図を示している。図１４は、コントロール基板１７３の平面図を示している。図１５は、基板カバー１７４が取り付けられる前のコントロール基板１７３の近傍を拡大した断面図を示している。実施形態４は、コントロール基板１７３に対する基板カバー１７４の取付構造が実施形態１のものと異なっている。その他の構成については実施形態１と同じであるため、構造、作用、および効果の説明は省略する。なお、図１２、図１５において、図５、図６の参照符号に数字１５０を加えた部位は、実施形態１で説明した部位と同一である。
【００６７】
実施形態４に係るバックライト装置では、コントロール基板１７３上に、基板カバー１７４の端縁部を挿入可能な凹状の挿入部１７５が設けられている。挿入部１７５の表面にはコントロール基板１７３と電気的に接続されたソケット電極１７７が設けられている。そして、基板カバー１７４がコントロール基板１７３に取り付けられた状態では、基板カバー１７４の端縁部が凹状の挿入部１７５に挿入され、基板カバー１７４がその厚み方向に挟持されることにより支持されている。また、基板カバー１７４の端縁部が挿入部１７５に挿入された状態では、基板カバー１７４の先端が凹状の挿入部１７５の底面と当接している。さらに、この状態では、基板カバー１７４の端縁部とソケット電極１７７とが当接しており、基板カバー１７４とソケット電極１７７との間で電気的接続が確保されている。
【００６８】
ソケット電極１７７の内壁には、図１３に示すように、内側に向かって凸状を成す挿入部側係止部１７７ａが設けられている。一方、基板カバー１７４の端縁部が挿入部１７５に挿入された状態において挿入部側係止部１７７ａと対応するソケット電極１７７の部位には、内側に向かって凹状を成すカバー側係止部１７４ａが設けられている。カバー側係止部１７４ａは挿入部側係止部１７７ａと嵌合可能な大きさで形成されており、挿入部側係止部１７７ａがカバー側係止部１７４ａと嵌合することにより、基板カバー１７４がコントロール基板１７３に対して支持され、固定される構成となっている。なお、挿入部側係止部１７７ａがカバー側係止部１７４ａと嵌合した状態では、基板カバー１７４の先端がソケット電極１７７の底面と当接しており、基板カバー１７４の端縁部がそれ以上挿入部１７５内に挿入されないような構成となっている。
【００６９】
挿入部１７５及びソケット電極１７７は、図１６に示すように、コントロール基板１７３の四隅に４つ設けられている。そして、基板カバー７４の端縁部は、該端縁部のうち挿入部１７５に挿入される部位がコントロール基板１７３側に突出した構成となっている。
【００７０】
このように実施形態４に係るバックライト装置では、基板カバー１７４の端縁部を挿入部１７５内に挿入することにより、こんとコントロール基板１７３に対して基板カバー１７４を容易に取り付けることができる。さらに、基板カバー１７４がソケット電極１７７を介してコントロール基板１７３の接地パターンと電気的に接続されるため、コントロール基板１７３の電磁ノイズを防止ないし抑制することができる。また、基板カバー１７４の端縁部が凹状の挿入部１７５に挿入されてその底面と当接することで、基板カバー１７４の端縁部をその挿入方向において係止させることができ、コントロール基板１７３と基板カバー１７４との間で所定の間隔を維持することができる。
【００７１】
＜実施形態５＞
図面を参照して実施形態５を説明する。図１６は、実施形態５に係るコントロール基板２２３の平面図を示している。実施形態５は、コントロール基板２２３上における挿入部２２５及びソケット電極２２７の配置が実施形態４のものと異なっている。その他の構成については実施形態４と同じであるため、構造、作用、および効果の説明は省略する。
【００７２】
実施形態５に係るバックライト装置では、図１６に示すように、一対の挿入部２２５がコントロール基板２２３の両端辺側においてコントロール基板２２３の板面に沿ってそれぞれ直線状に延びるように設けられている。また、ソケット電極２２７も同様に挿入部２２５の表面に沿って設けられている。挿入部２２５及びソケット電極２２７がこのような態様で設けられていることにより、基板カバー２２４の端縁部のうち挿入部２２５に挿入されて支持される部位が多くなるため、基板カバー２２４を挿入部２２５によって効果的に支持することができる。
【００７３】
＜実施形態６＞
図面を参照して実施形態６を説明する。図１７は、実施形態６に係るコントロール基板２７３の近傍を拡大した断面図を示している。図１８は、基板カバー２７４が取り付けられる前のコントロール基板２７３の近傍を拡大した断面図を示している。実施形態６は、コントロール基板２７３に対する基板カバー２７４の取付構造が実施形態１のものと異なっている。その他の構成については実施形態１と同じであるため、構造、作用、および効果の説明は省略する。なお、図１７、図１８において、図５、図６の参照符号に数字２５０を加えた部位は、実施形態１で説明した部位と同一である。
【００７４】
実施形態６に係るバックライト装置では、図１７に示すように、コントロール基板２７３の裏面に、基板カバー２７４側に立ち上がる板ばねにより成る支持ばね２７５が設けられている。支持ばね２７５は、その板面がコントロール基板２７３の板面と直交すると共に基板カバー２７４の片部２７４ｂと平行となるように立ち上がっており、基板カバー２７４の片部２７４ｂの内側方向及び外側方向に弾性変形可能となっている。基板カバー２７４は支持ばね２７５に取付可能となっており、基板カバー２７４が支持ばね２７５に取り付けられた状態では、支持ばね２７５の先端部の外側に基板カバー２７４の先端部が平行に重なった状態とされる。
【００７５】
支持ばね２７５の先端側（基板カバー２７４側）には、外側に向かって凸状を成すばね側凸部２７５ａが設けられている。一方、基板カバー２７４が板ばね２７５に取り付けられた状態においてばね側凸部２７５ａと対応する基板カバー２７４の先端側の部位には、ばね側凸部２７５ａと対向する側にばね側凸部２７５ａと嵌合可能な大きさのカバー側凹部２７４ａが設けられている。そして、カバー側凹部２７４ａがばね側凸部２７５ａと嵌合することにより、基板カバー２７４がコントロール基板２７３に対して弾性的に支持され、固定される構成となっている。また、支持ばね２７５は、基板カバー２７４の片部２７４ｂの内側方向及び外側方向に弾性変形可能であるため、支持ばね２７５に対して基板カバー２７４を容易に取り付け及び取り外しすることができる。
【００７６】
このように実施形態６に係るバックライト装置では、基板カバー２７４が板ばねにより成る支持ばね２７５で支持されるため、コントロール基板２７３に対して基板カバー２７４を容易に取り付けることができる。さらに、金属材料で形成された支持ばね２７５を介して基板カバー２７４とコントロール基板２７３とが電気的に接続されるため、コントロール基板２７３からの電磁ノイズを基板カバー２７４によって防止ないし抑制することができる。また、支持ばね２７５によって基板カバー２７４を弾性的に支持することができるため、基板カバー２７４が支持されることによって支持ばね２７５に生じる応力を緩和することができる。
【００７７】
＜実施形態７＞
図面を参照して実施形態７を説明する。図１９は、実施形態７に係るコントロール基板３２３の近傍を拡大した断面図を示している。図２０は、基板カバー３２４が取り付けられる前のコントロール基板３２３の近傍を拡大した断面図を示している。実施形態７は、板ばね３２５と基板カバー３２４との間の嵌合構造が実施形態６のものと異なっている。その他の構成については実施形態６と同じであるため、構造、作用、および効果の説明は省略する。
【００７８】
実施形態７に係るバックライト装置では、図１９に示すように、コントロール基板３２３の裏面に、基板カバー２７４側に立ち上がる板ばねにより成る支持ばね３２５が設けられている。支持ばね３２５５の形状、立ち上がり態様、及び基板カバー３２４が支持ばね３２５に取り付けられた状態において支持ばね３２５の先端部と基板カバー３２４の先端部とが平行に重なる態様については、実施形態６と同様である。実施形態７では、基板カバー３２４の先端側（コントロール基板２２３側）に、内側に向かって凸状を成すカバー側凸部３２４ａが設けられている。一方、基板カバー３２４が支持ばね３２５に取り付けられた状態においてカバー側凸部３２４ａと対応する支持ばね３２５の先端側の部位には、カバー側凸部３２４ａと対向する側にカバー側凸部３２４ａと嵌合可能な大きさのばね側凹部３２５ａが設けられている。そして、ばね側凹部３２５ａがカバー側凸部３２４ａと嵌合することにより、基板カバー３２４がコントロール基板３２３に対して弾性的に支持され、固定される構成となっている。また、支持ばね３２５は、基板カバー３２４の片部３２４ｂの内側方向及び外側方向に弾性変形可能であるため、支持ばね３２５に対して基板カバー３２４を容易に取り付け及び取り外しすることができる。このように実施形態７に係るバックライト装置では、実施形態６の場合と同様、基板カバー３２４を弾性的に支持することができ、基板カバー３２４が支持されることによって支持ばね３２５に生じる応力を緩和することができる。
【００７９】
＜実施形態８＞
図面を参照して実施形態８を説明する。図２１は、実施形態８に係るコントロール基板３７３の近傍を拡大した断面図を示している。図２２は、基板カバー３７４が取り付けられる前のコントロール基板３７３の近傍を拡大した断面図を示している。実施形態８は、コントロール基板３７３に対する基板カバー３７４の取付構造が実施形態１のものと異なっている。その他の構成については実施形態１と同じであるため、構造、作用、および効果の説明は省略する。なお、図２１、図２２において、図５、図６の参照符号に数字３５０を加えた部位は、実施形態１で説明した部位と同一である。
【００８０】
実施形態８に係るバックライト装置では、コントロール基板３７３の裏面の長辺方向両端部に支持部材３７５が配されている。支持部材３７５は、コントロール基板３７３の裏面に沿って該裏面に取り付けられた底板３７５ａと、底板３７５ａの外側縁部から折り曲げられて底板３７５ａに対して鋭角を成すように内側方向裏側に立ち上がる側板３７５ｂと、を有している。底板３７５ａは、コントロール基板３７３の裏面に対して例えばビス留めにより取り付けられ、固定されている。
【００８１】
一方、基板カバー３７４は、その片部３７４ｂが、基部２４ａにおける短辺側の両外縁から外側方向表側に広がるように延びており、支持部材３７５の側板３５ｂと平行とされている。このため、基板カバー３７４がコントロール基板３７３に取り付けられた状態では、図２１に示すように、基板カバー３７４の端縁部（片部３７４ｂの先端側）が支持部材３７５の側板３７５ｂと当接する。基板カバー３７４の端縁部は支持部材３７５の側板３７５ｂに対してビスＢによりビス留めされ、固定されている。
【００８２】
このように実施形態８に係るバックライト装置では、支持部材３７５が、コントロール基板３７３に取り付けられる底板３７５ａと、底板３７５ａの端縁から基板カバー３７４側に立ち上がる側板３７５ｂと、を有し、基板カバー３７４の端縁部の板面が支持部材３７５の側板３７５ｂに取り付けられている。このため、支持部材３７５を介してコントロール基板３７３と基板カバー３７４とを強固に固定することができる。
【００８３】
＜実施形態９＞
図面を参照して実施形態９を説明する。図２３は、実施形態９に係るコントロール基板４２３の近傍を拡大した断面図を示している。図２４は、基板カバー４２４が取り付けられる前のコントロール基板４２３の近傍を拡大した断面図を示している。実施形態９は、コントロール基板４２３に対する基板カバー４２４の取付構造が実施形態１のものと異なっている。その他の構成については実施形態１と同じであるため、構造、作用、および効果の説明は省略する。なお、図２３、図２４において、図５、図６の参照符号に数字４００を加えた部位は、実施形態１で説明した部位と同一である。
【００８４】
実施形態９に係るバックライト装置では、コントロール基板４２３の端縁部が、基板カバー４２４を支持可能な支持端部４２５とされている。支持端部４２５の表面にはコントロール基板４２３の接地パターンと電気的に接続された端縁部電極４２７が設けられている。一方、基板カバー４２４の端縁部には、コントロール基板４２３に基板カバー４２４が取り付けられた状態において支持端部４２５と対応する位置に、支持端部４２５と嵌合可能な嵌合凹部４２４ｄが設けられている。嵌合凹部４２４ｄは外側に向かって凹状となっており、支持端部４２５及び端縁部電極４２７をコントロール基板４２３の厚み方向に挟持することで、基板カバー４２４がコントロール基板４２３に取り付けられ、固定される構成となっている。
【００８５】
このように実施形態９に係るバックライト装置では、基板カバー４２４の嵌合凹部４２４ｄをコントロール基板４２３の支持端部４２５と嵌合させることで、基板カバー４２４をコントロール基板４２３に対して容易に取り付けることができる。さらに、基板カバー４２４が支持端部４２５に支持された状態では基板カバー４２４がコントロール基板４２３の端縁部電極４２７と電気的に接続されるため、コントロール基板４２３からの電磁ノイズを基板カバー４２４によって効果的に防止ないし抑制することができる。
【００８６】
各実施形態の構成と本発明の構成との対応関係を記載しておく。冷陰極管１８が「光源」の一例である。また、コントロール基板２３、７３、１２３、１７３、２２３、２７３、３２３、３７３、４２３が「回路基板」の一例である。また、支持ピン２５、挿入部７５、１２５、１７５、２２５、支持ばね２７５、３２５、支持部材３７５、支持端部４２５が「支持部」の一例である。また、バックライト装置１２が「照明装置」の一例である。また、嵌合開口２４ｄが「嵌合部」の一例である。また、スリット電極７７、ソケット電極１７７、端縁部電極４２７が「電極」の一例である。また、カバー側係止部７４ａ、１２４ａ、挿入部側係止部７７ａ、１２７ａが「係止手段」の一例である。
【００８７】
（１）上記の各実施形態では、コントロール基板と基板カバーとの取付態様について様々な構成を説明したが、該取付態様については、コントロール基板と基板カバーが導電性材料により形成された部材を介して接続された構成であればよく、これらの構成に限定されるものではない。
【００８８】
（２）上記の各実施形態では、直下型のバックライト装置を例示しているが、直下型のバックライト装置に限定されるものではない。例えばエッジライト型のバックライト装置であってもよい。
【００８９】
（３）実施形態２及び実施形態３において、コントロール基板上においてスリット電極及びソケット電極が設けられる位置は、本明細書に開示したものに限定されるものではなく、コントロール基板上の様々な位置に設けることができる。
【００９０】
（４）実施形態８において、支持部材の側板は、該側板が該支持部材の底面に対して直交するように裏側に立ち上がっており、基板カバーの片部が支持部材の側板と平行となるように延びている構成を採用してもよい。
【００９１】
（５）上記の各実施形態では、表示パネルとして液晶パネルを用いた液晶表示装置を例示したが、他の種類の表示パネルを用いた表示装置にも本発明は適用可能である。
【００９２】
（６）上記の各実施形態では、チューナーを備えたテレビ受信装置を例示したが、チューナーを備えない表示装置にも本発明は適用可能である。
【００９３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００９４】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９５】
ＴＶ：テレビ受信装置、Ｃａ、Ｃｂ：キャビネット、Ｔ：チューナー、Ｓ：スタンド、１０：液晶表示装置、１１：液晶パネル、１２：バックライト装置、１３：ベゼル、１４：シャーシ、１５：反射シート、１６：光学部材、１７：フレーム、１８：冷陰極管、１９：ランプクリップ、２０：ランプホルダ、２１：インバータ基板、２２：コネクタ、２３、７３、１２３、１７３、２２３、２７３、３２３、３７３、４２３：コントロール基板、２４、７４、１２４、１７４、２２４、２７４、３２４、３７４、４２４：基板カバー、２５：支持ピン、２６：スタンド、７５、１２５、１７５、２２５：挿入部、７７：スリット電極、１７７：ソケット電極、２７５、３２５：支持ばね、３７５：支持部材、４２５：支持端部、４２７：端縁部電極
【図１】
2012064511.tif 000003
【図２】
2012064511.tif 000004
【図３】
2012064511.tif 000005
【図４】
2012064511.tif 000006
【図５】
2012064511.tif 000007
【図６】
2012064511.tif 000008
【図７】
2012064511.tif 000009
【図８】
2012064511.tif 000010
【図９】
2012064511.tif 000011
【図１０】
2012064511.tif 000012
【図１１】
2012064511.tif 000013
【図１２】
2012064511.tif 000014
【図１３】
2012064511.tif 000015
【図１４】
2012064511.tif 000016
【図１５】
2012064511.tif 000017
【図１６】
2012064511.tif 000018
【図１７】
2012064511.tif 000019
【図１８】
2012064511.tif 000020
【図１９】
2012064511.tif 000021
【図２０】
2012064511.tif 000022
【図２１】
2012064511.tif 000023
【図２２】
2012064511.tif 000024
【図２３】
2012064511.tif 000025
【図２４】
2012064511.tif 000026